(57)【要約】【課題】  動画像の編集を容易にすること。【解決手段】  ＭＦＰは、動画像を再生する再生部（Ｓ０２）と、再生部が第１の動画像を再生中に挿入指示が受け付けられると（Ｓ０４でＹＥＳ）、その時点で再生されている第１の動画像の再生位置を挿入位置に決定する挿入位置決定部と、静止画像を取得する静止画像取得部（Ｓ０７）と、取得された静止画像を表示する第２の動画像を生成する動画像生成部（Ｓ０８）と、第１の動画像の決定された挿入位置に第２の動画像を挿入した第３の動画像を生成し（Ｓ０９）、生成された第３の動画像をＨＤＤに記憶する（Ｓ１１）合成部とを備える。【選択図】        図５
2010074298.tif 000002
【特許請求の範囲】
【請求項１】
動画像を再生する再生手段と、
前記再生手段が第１の動画像を再生中に所定の指示が受け付けられると、その時点で再生されている前記第１の動画像の再生位置を挿入位置に決定する挿入位置決定手段と、
静止画像を取得する静止画像取得手段と、
前記取得された静止画像を表示する第２の動画像を生成する動画像生成手段と、
前記第１の動画像の前記決定された挿入位置に前記第２の動画像を挿入した第３の動画像を生成する合成手段と、
前記生成された第３の動画像を記憶する記憶手段とを備えた動画記録再生装置。
【請求項２】
動画像を再生する再生手段と、
前記再生手段が第１の動画像を再生中に所定の指示が受け付けられると、その時点で再生されている前記第１の動画像の再生位置を挿入位置に決定する挿入位置決定手段と、
静止画像を取得する静止画像取得手段と、
前記取得された静止画像を表示する第２の動画像を生成する動画像生成手段と、
前記第２の動画像を、前記第１の動画像の前記挿入位置と関連付けて記憶する記憶手段と、を備えた動画記録再生装置。
【請求項３】
、
前記再生手段は、前記第２の動画像が関連付けられた前記挿入位置で前記第１の動画像の再生を一時停止する一時停止手段と、
前記第１の動画像が一時停止されている間に前記挿入位置に関連付けられた前記第２の動画を再生する関連付動画再生手段と、
前記第２の動画像の再生が終了後に、一時停止していた前記第１の動画像の再生を再開する一時停止解除手段と、を含む請求項２に記載の動画記録再生装置。
【請求項４】
前記再生手段は、前記第２の動画像が関連付けられた前記挿入位置から所定時間前から所定の印を表示する印表示手段をさらに含み、
前記一時停止手段は、前記所定の印の表示後に所定の操作が受け付けられることを条件に、前記第１の動画像の再生を一時停止する、請求項３に記載の動画記録再生装置。
【請求項５】
音声の入力を受け付ける音声受付手段と、
前記動画像生成手段は、前記音声受付手段により受け付けられる音声を含む動画像を生成し、
前記再生手段は、前記動画像が音声を含む場合、該音声を再生する、請求項１〜４のいずれかに記載の動画記録再生装置。
【請求項６】
前記静止画像取得手段は、原稿を読み取って静止画像を出力する原稿読取手段を含む、請求項１〜５のいずれかに記載の動画像記録再生装置。
【請求項７】
静止画像を記憶する記憶手段をさらに備え、
前記静止画像取得手段は、前記記憶手段に記憶された静止画像の指定を受け付ける静止画像指定受付手段と、
前記受け付けられた指定で特定される静止画像を前記記憶手段から読み出す読出手段とをさらに含む、請求項１〜６のいずれかに記載の動画像記録再生装置。
【請求項８】
動画像を再生するステップと、
前記再生するステップにおいて第１の動画像を再生中に所定の指示が受け付けられると、その時点で再生されている前記第１の動画像の再生位置を挿入位置に決定するステップと、
静止画像を取得するステップと、
前記取得された静止画像を表示する第２の動画像を生成するステップと、
前記第１の動画像を、前記決定された挿入位置に前記第２の動画像を挿入した第３の動画像に変換するステップと、
前記第３の動画像を記憶するステップと、を含む動画記録再生方法。
【請求項９】
動画像を再生するステップと、
前記再生するステップにおいて第１の動画像を再生中に所定の指示が受け付けられると、その時点で再生されている前記第１の動画像の再生位置を挿入位置に決定するステップと、
静止画像を取得するステップと、
前記取得された静止画像を表示する第２の動画像を生成するステップと、
前記第２の動画像を、前記第１の動画像の前記挿入位置と関連付けて記憶するステップと、を含む動画記録再生方法。
【請求項１０】
動画像を再生するステップと、
前記再生するステップにおいて第１の動画像を再生中に所定の指示が受け付けられると、その時点で再生されている前記第１の動画像の再生位置を挿入位置に決定するステップと、
静止画像を取得するステップと、
前記取得された静止画像を表示する第２の動画像を生成するステップと、
前記第１の動画像を、前記決定された挿入位置に前記第２の動画像を挿入した第３の動画像に変換するステップと、
前記第３の動画像を記憶するステップと、をコンピュータに実行させる動画記録再生プログラム。
【請求項１１】
動画像を再生するステップと、
前記再生するステップにおいて第１の動画像を再生中に所定の指示が受け付けられると、その時点で再生されている前記第１の動画像の再生位置を挿入位置に決定するステップと、
静止画像を取得するステップと、
前記取得された静止画像を表示する第２の動画像を生成するステップと、
前記第２の動画像を、前記第１の動画像の前記挿入位置と関連付けて記憶するステップと、をコンピュータに実行させる動画記録再生プログラム。
【発明の詳細な説明】
【技術分野】
【０００１】
この発明は、動画記録再生装置、動画記録再生方法および動画記録再生プログラムに関し、特に、動画を編集するための動画記録再生装置、動画記録再生方法および動画記録再生プログラムに関する。
【背景技術】
【０００２】
近年、複合機（以下「ＭＦＰ」という）は、ハードディスクドライブ（ＨＤＤ）等の大容量記憶装置を搭載しており、多くのデータを記憶することが可能となっている。このため、静止画像に加えて、データサイズの比較的大きな動画像を記憶することが可能となっている。
【０００３】
特開２００２−３６８９８４号公報（特許文献１）には、画像情報と当該画像情報とは異なる付加情報が印刷された印刷物を読み取り、表示する画像処理装置であって、読み取ることで得た画像情報中の前記付加情報を分離する分離手段と、該分離手段で分離された付加情報を、読み取った画像と組み合わせて再生する再生手段とを備える。
【０００４】
しかしながら、従来の画像処理装置は、読み取った静止画像の表示と付加情報で特定される動画像とを組み合わせて再生するものであり、動画像を編集することはできない。動画像を編集するためには、動画像を編集するためのアプリケーションプログラムをインストールしなければならず、その編集作業が煩雑であるといった問題がある。
【特許文献１】特開２００２−３６８９８４号公報
【発明の開示】
【発明が解決しようとする課題】
【０００５】
この発明は上述した問題点を解決するためになされたもので、この発明の目的の１つは、動画像を容易に編集することが可能な動画像記録再生装置を提供することである。
【０００６】
この発明の他の目的は、動画像を容易に編集することが可能な動画像記録再生方法を提供することである。
【０００７】
この発明のさらに他の目的は、動画像を容易に編集することが可能な動画像記録再生プログラムを提供することである。
【課題を解決するための手段】
【０００８】
上述した目的を達成するためにこの発明のある局面によれば、動画記録再生装置は、動画像を再生する再生手段と、再生手段が第１の動画像を再生中に所定の指示が受け付けられると、その時点で再生されている第１の動画像の再生位置を挿入位置に決定する挿入位置決定手段と、静止画像を取得する静止画像取得手段と、取得された静止画像を表示する第２の動画像を生成する動画像生成手段と、第１の動画像の決定された挿入位置に第２の動画像を挿入した第３の動画像を生成する合成手段と、生成された第３の動画像を記憶する記憶手段とを備える。
【０００９】
この局面に従えば、第１の動画像を再生中に所定の指示が受け付けられると、その時点で再生されている第１の動画像の再生位置が挿入位置に決定され、挿入位置に静止画像を表示する第２の動画像を挿入した第３の動画像が生成され、記憶される。このため、動画像中の任意の位置を挿入位置に指定し、静止画像を指示する簡単な操作で、動画像に静止画像を表示する動画像を挿入することができる。その結果、動画像を容易に編集することが可能な動画像記録再生装置を提供することができる。
【００１０】
この発明の他の局面によれば、画像記録再生装置は、再生手段が第１の動画像を再生中に所定の指示が受け付けられると、その時点で再生されている第１の動画像の再生位置を挿入位置に決定する挿入位置決定手段と、静止画像を取得する静止画像取得手段と、取得された静止画像を表示する第２の動画像を生成する動画像生成手段と、第２の動画像を、第１の動画像の挿入位置と関連付けて記憶する記憶手段と、を備える。
【００１１】
この局面に従えば、第１の動画像を再生中に所定の指示が受け付けられると、その時点で再生されている第１の動画像の再生位置が挿入位置に決定され、静止画像を表示する第２の動画像が、第１の動画像の挿入位置と関連付けて記憶される。第２の動画像が関連付けられた第１の動画像が再生されると、挿入位置で第２の動画像を再生することがきる。その結果、動画像を容易に編集することが可能な動画像記録再生装置を提供することができる。
【００１２】
好ましくは、再生手段は、第１の動画像の再生を第２の動画像が関連付けられた挿入位置で一時停止する一時停止手段と、第１の動画像が一時停止されている間に挿入位置に関連付けられた第２の動画を再生する関連付動画再生手段と、第２の動画像の再生が終了後に、一時停止していた第１の動画像の再生を再開する一時停止解除手段と、を含む。
【００１３】
この局面に従えば、第２の動画像が関連付けられた第１の動画像の挿入位置で、第２の動画像を再生することがきる。また、挿入位置で第１の動画像の再生を一時停止するので、第２の動画像の再生が終了後に、第１の動画像の残りを再生することができる。
【００１４】
好ましくは、再生手段は、第２の動画像が関連付けられた挿入位置から所定時間前から所定の印を表示する印表示手段をさらに含み、一時停止手段は、所定の印の表示後に所定の操作が受け付けられることを条件に、第１の動画像の再生を一時停止する。
【００１５】
この局面によれば、挿入位置から所定時間前から挿入位置までの間に、所定の操作が受け付けられることを条件に、第１の動画像の再生が一時停止されるので、ユーザが第２の動画を再生するか否かを選択することができる。
【００１６】
好ましくは、音声の入力を受け付ける音声受付手段と、動画像生成手段は、音声受付手段により受け付けられる音声を含む動画像を生成し、再生手段は、動画像が音声を含む場合、該音声を再生する。
【００１７】
好ましくは、静止画像取得手段は、原稿を読み取って静止画像を出力する原稿読取手段を含む。
【００１８】
この局面に従えば、原稿を動画像にして記録または再生することができる。
【００１９】
好ましくは、静止画像を記憶する記憶手段をさらに備え、静止画像取得手段は、記憶手段に記憶された静止画像の指定を受け付ける静止画像指定受付手段と、受け付けられた指定で特定される静止画像を記憶手段から読み出す読出手段とをさらに含む。
【００２０】
この局面に従えば、記憶された静止画像を動画像にして記録または再生することができる。
【００２１】
この発明の他の局面によれば、動画像記録再生方法は、動画像を再生するステップと、再生するステップにおいて第１の動画像を再生中に所定の指示が受け付けられると、その時点で再生されている第１の動画像の再生位置を挿入位置に決定するステップと、静止画像を取得するステップと、取得された静止画像を表示する第２の動画像を生成するステップと、第１の動画像を、決定された挿入位置に第２の動画像を挿入した第３の動画像に変換するステップと、第３の動画像を記憶するステップと、を含む。
【００２２】
この局面に従えば、動画像を容易に編集することが可能な動画像記録再生方法を提供することができる。
【００２３】
この発明のさらに他の局面によれば、動画記録再生方法は、動画像を再生するステップと、再生するステップにおいて第１の動画像を再生中に所定の指示が受け付けられると、その時点で再生されている第１の動画像の再生位置を挿入位置に決定するステップと、静止画像を取得するステップと、取得された静止画像を表示する第２の動画像を生成するステップと、第２の動画像を、第１の動画像の挿入位置と関連付けて記憶するステップと、を含む。
【００２４】
この局面に従えば、動画像を容易に編集することが可能な動画像記録再生方法を提供することができる。
【００２５】
この発明のさらに他の局面によれば、動画記録再生プログラムは、動画像を再生するステップと、再生するステップにおいて第１の動画像を再生中に所定の指示が受け付けられると、その時点で再生されている第１の動画像の再生位置を挿入位置に決定するステップと、静止画像を取得するステップと、取得された静止画像を表示する第２の動画像を生成するステップと、第１の動画像を、決定された挿入位置に第２の動画像を挿入した第３の動画像に変換するステップと、第３の動画像を記憶するステップと、をコンピュータに実行させる。
【００２６】
この局面に従えば、動画像を容易に編集することが可能な動画像記録再生プログラムを提供することができる。
【００２７】
この発明のさらに他の局面によれば、動画像記録再生プログラムは、動画像を再生するステップと、再生するステップにおいて第１の動画像を再生中に所定の指示が受け付けられると、その時点で再生されている第１の動画像の再生位置を挿入位置に決定するステップと、静止画像を取得するステップと、取得された静止画像を表示する第２の動画像を生成するステップと、第２の動画像を、第１の動画像の挿入位置と関連付けて記憶するステップと、をコンピュータに実行させる。
【００２８】
この局面に従えば、動画像を容易に編集することが可能な動画像記録再生プログラムを提供することができる。
【発明を実施するための最良の形態】
【００２９】
以下、本発明の実施の形態について図面を参照して説明する。以下の説明では同一の部品には同一の符号を付してある。それらの名称および機能も同じである。したがってそれらについての詳細な説明は繰返さない。
【００３０】
図１は、本発明の実施の形態の１つにおける動画記録再生システムの全体概要を示す図である。図１を参照して、動画記録再生システム１は、それぞれがネットワーク２に接続され、動画記録再生装置として機能するＭＦＰ（Ｍｕｌｔｉ  Ｆｕｎｃｔｉｏｎ  Ｐｅｒｉｐｈｅｒａｌ）１００，１０１と、パーソナルコンピュータ（以下「ＰＣ」という）２００，２００Ａと、ファイルサーバ２５０とを含む。
【００３１】
ネットワーク２は、ローカルエリアネットワーク（ＬＡＮ）であり、インターネットにゲートウェイを介して接続されている。ネットワーク２の接続形態は有線または無線を問わない。またネットワーク２は、ＬＡＮに限らず、公衆交換電話網（Ｐｕｂｌｉｃ  Ｓｗｉｔｃｈｅｄ  Ｔｅｌｅｐｈｏｎｅ  Ｎｅｔｗｏｒｋｓ）を用いたネットワーク、ワイドエリアネットワーク（ＷＡＮ）、インターネットであってもよい。
【００３２】
ＰＣ２００，２００Ａおよびファイルサーバ２５０は、一般的なコンピュータであり、そのハードウェア構成および機能は周知なのでここでは説明を繰り返さない。ＰＣ２００，２００Ａそれぞれには、符号化された動画像をデコードし、動画像を再生するための動画再生プログラムがインストールされている。ファイルサーバ２５０は、動画像を記憶する記憶装置を備えており、ＭＦＰ１００，１０１またはＰＣ２００，２００Ａのいずれかからの要求により、それから受信される動画像を記憶したり、記憶装置に記憶された動画像を送信したりする。
【００３３】
また、ＭＦＰ１００，１０１は、構成及び機能が同じなので以下の説明では特に言及しない限りＭＦＰ１００を例に説明する。ＭＦＰ１００は、原稿を読取るためのスキャナ装置、画像データに基づいて紙などの記録媒体に画像を形成するための画像形成装置およびファクシミリ装置を含み、画像読取機能、複写機能、ファクシミリ送受信機能を備えている。
【００３４】
図２は、ＭＦＰの外観を示す斜視図である。図３は、ＭＦＰのハードウェア構成の一例を示すブロック図である。図２および図３を参照して、ＭＦＰ１００は、メイン回路１１０と、原稿を読み取るための原稿読取部１３０と、原稿を原稿読取部１３０に搬送するための自動原稿搬送装置１２０と、原稿読取部１３０が原稿を読み取って出力する静止画像を用紙等に形成するための画像形成部１４０と、画像形成部１４０に用紙を供給するための給紙部１５０と、ユーザインターフェースとしての操作パネル１６０と、音声が入力されるマイクロフォン１７１と、音声を出力するスピーカ１７３と、を含む。メイン回路１１０は、ＣＰＵ１１１と、通信インターフェース（Ｉ／Ｆ）部１１２と、ＲＯＭ１１３と、ＲＡＭ１１４と、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）１１５と、大容量記憶装置としてのハードディスクドライブ（ＨＤＤ）１１６と、ファクシミリ部１１７と、フラッシュメモリ１１８Ａが装着されるカードインターフェース（Ｉ／Ｆ）１１８とを含む。ＣＰＵ１１１は、自動原稿搬送装置１２０、原稿読取部１３０、画像形成部１４０、給紙部１５０、操作パネル１６０、マイクロフォン１７１およびスピーカ１７３と、と接続され、ＭＦＰ１００の全体を制御する。
【００３５】
ＲＯＭ１１３は、ＣＰＵ１１１が実行するプログラム、またはそのプログラムを実行するために必要なデータを記憶する。ＲＡＭ１１４は、ＣＰＵ１１１がプログラムを実行する際の作業領域として用いられる。また、ＲＡＭ１１４は、原稿読取部１３０から連続的に送られてくる静止画像を一時的に記憶する。
【００３６】
操作パネル１６０は、ＭＦＰ１００の上面に設けられ、表示部１６０Ａと操作部１６０Ｂとを含む。表示部１６０Ａは、液晶表示装置（ＬＣＤ）、有機ＥＬＤ（Ｅｌｅｃｔｒｏｌｕｍｉｎｅｓｃｅｎｃｅ  Ｄｉｓｐｌａｙ）等の表示装置であり、ユーザに対する指示メニューや取得した画像データに関する情報等を表示する。操作部１６０Ｂは、複数のキーを備え、キーに対応するユーザの操作による各種の指示、文字、数字などのデータの入力を受付ける。操作部１６０Ｂは、表示部１６０Ａ上に設けられたタッチパネルをさらに含む。
【００３７】
通信Ｉ／Ｆ部１１２は、ＭＦＰ１００をネットワーク２に接続するためのインターフェースである。ＣＰＵ１１１は、通信Ｉ／Ｆ部１１２を介してＭＦＰ１００，１０１、ＰＣ２００，２００Ａまたはサーバ２５０との間で通信し、データを送受信する。また、通信Ｉ／Ｆ部１１２は、ネットワーク２を介してインターネットに接続されたコンピュータと通信が可能である。また、通信Ｉ／Ｆ部１１２は、ＰＣとの間で電子メールを送受信する。
【００３８】
ファクシミリ部１１７は、公衆交換電話網（ＰＳＴＮ）に接続され、ＰＳＴＮにファクシミリデータを送信する、またはＰＳＴＮからファクシミリデータを受信する。ファクシミリ部１１７は、受信したファクシミリデータを、ＨＤＤ１１６に記憶する、または画像形成部１４０に出力する。画像形成部１４０は、ファクシミリ部１１７により受信されたファクシミリデータを用紙に印刷する。また、ファクシミリ部１１７は、ＨＤＤ１１６に記憶されたデータをファクシミリデータに変換して、ＰＳＴＮに接続されたファクシミリ装置に送信する。
【００３９】
カードＩ／Ｆ１１８は、フラッシュメモリ１１８Ａが装着される。ＣＰＵ１１１は、カードＩ／Ｆ１１８を介してフラッシュメモリ１１８Ａにアクセス可能である。ＣＰＵ１１１は、カードＩ／Ｆ１１８に装着されたフラッシュメモリ１１８Ａに記録されたプログラムをＲＡＭ１１４にロードして実行する。なお、ＣＰＵ１１１が実行するプログラムは、フラッシュメモリ１１８Ａに記録されたプログラムに限られず、ＨＤＤ１１６に記憶されたプログラムをＲＡＭ１１４にロードして実行するようにしてもよい。この場合、ネットワーク２に接続された他のコンピュータが、ＭＦＰ１００のＨＤＤ１１６に記憶されたプログラムを書換える、または、新たなプログラムを追加して書き込むようにしてもよい。さらに、ＭＦＰ１００が、ネットワーク２に接続された他のコンピュータからプログラムをダウンロードして、そのプログラムをＨＤＤ１１６に記憶するようにしてもよい。ここでいうプログラムは、ＣＰＵ１１１が直接実行可能なプログラムだけでなく、ソースプログラム、圧縮処理されたプログラム、暗号化されたプログラム等を含む。
【００４０】
図４は、ＭＦＰが備えるＣＰＵが有する機能の一例をＨＤＤに記憶するデータとともに示す機能ブロック図である。図４を参照して、ＭＦＰ１００が備えるＣＰＵ１１１は、ユーザによる指示を受け付ける指示受付部５１と、動画像を再生する再生部５３と、動画像中の任意の位置を挿入位置として決定する挿入位置決定部５５と、静止画像を取得するための静止画像取得部５７と、音声を受け付ける音声受付部５９と、静止画像から動画像を生成する動画像生成部６１と、２つの動画像を合成する合成部６３と、を含む。
【００４１】
ＨＤＤ１１６には、複数の動画像９１が予め記憶されている。複数の動画像９１は、ここでは、会議等の発表時に表示する動画像である。
【００４２】
指示受付部５１は、ＭＦＰ１００を操作するユーザが入力する指示を受け付ける。指示受付部５１は、ユーザが操作部１６０Ｂに入力する指示、または、マイクロフォン１７１に音声で入力する指示とを受け付ける。指示受付部５１は、操作部１６０Ｂに指示が入力されると、操作部１６０Ｂから指示を受け付ける。また、指示受付部５１は、マイクロフォン１７１に音声が入力されると、その音声を音声認識して得られるテキストを指示として受け付ける。
【００４３】
指示受付部５１は、ユーザが操作部１６０Ｂまたはマイクロフォン１７１に入力する再生指示を受け付けると、受け付けられた再生指示を再生部５３に出力する。再生指示は、ＨＤＤ１１６に記憶されている複数の動画像９１のいずれかの再生を指示するためのコマンドであり、ＨＤＤ１１６に記憶されている複数の動画像９１の１つを識別する動画像識別情報を含む。例えば、ＨＤＤ１１６に記憶されている複数の動画像９１それぞれを識別するための動画像識別情報を表示する一覧画面を表示部１６０Ａに表示し、ユーザが表示された一覧画面から複数の動画像９１のうちから１つを特定するようにすればよい。
【００４４】
再生部５３は、指示受付部５１から再生指示が入力されると、再生指示に含まれる動画像識別情報で特定される動画像９１をＨＤＤ１１６から読出し、再生する。再生部５３は、動画像９１が圧縮されたデータの場合、圧縮されたデータを復号する。さらに、再生部５３は、再生した動画像を表示部１６０Ａに表示する。ここでは、再生部５３が再生指示に従って再生する動画像９１を第１の動画像という。
【００４５】
指示受付部５１は、ユーザが操作部１６０Ｂに挿入指示を入力すると、挿入指示を受け付け、受け付けられた挿入指示を挿入位置決定部５５に出力する。挿入指示は、再生部５３により再生される第１の動画像に第２の動画像を挿入することを命令するコマンドである。
【００４６】
挿入位置決定部５５は、再生部５３が第１の動画像を再生しているときに、指示受付部５１から挿入指示を受け付けると、挿入指示が受け付けられたときの第１の動画像中の位置を挿入位置に決定し、決定された挿入位置と再生部５３により再生されている第１の動画像を識別するための動画像識別情報とを合成部６３に出力する。ここでは、動画像中の位置は、例えば、動画像の再生を開始してからの経過時間である再生時間としている。
【００４７】
指示受付部５１により挿入指示が受け付けられたとき、再生部５３は、第１の動画像の再生を一時停止するようにしてもよいし、そのまま再生を継続してもよい。
【００４８】
静止画像取得部５７は、静止画像を取得し、取得された静止画像を動画像生成部６１に出力する。ユーザが操作部１６０Ｂに原稿画像を読み取る原稿読取指示を入力する場合、静止画像取得部５７は、操作部１６０Ｂから原稿読取指示が入力される。静止画像取得部５７は、原稿読取指示が入力されると原稿読取部１３０に原稿画像を読み取らせ、原稿読取部１３０が原稿画像を読み取って出力する静止画像を、原稿読取部１３０から取得する。静止画像取得部５７は、原稿読取部１３０が複数枚の原稿を読み取る場合、複数の静止画像を取得し、取得された複数の静止画像を動画像生成部６１に出力する。
【００４９】
また、静止画像取得部５７は、ファイルサーバ２５０またはＨＤＤ１１６に記憶されている静止画像のファイル名を表示し、ユーザが操作部１６０Ｂに表示されたファイル名を選択する指示を入力する場合、静止画像取得部５７は、操作部１６０Ｂから選択されたファイル名が入力される。静止画像取得部５７は、選択されたファイル名で特定される静止画像をＨＤＤ１１６から読み出し、またはファイルサーバ２５０から取得し、静止画像を動画像生成部６１に出力する。ＨＤＤ１１６またはファイルサーバ２５０に記憶される静止画像は、原稿読取部１３０が原稿を読み取って出力する静止画像、通信Ｉ／Ｆ部１１２がネットワーク２に接続されたＰＣ２００，２００Ａから受信したプリントデータ、または、通信Ｉ／Ｆ部１１２がネットワーク２に接続されたＰＣ２００，２００ＡまたはＭＦＰ１０１から、例えばＦＴＰ（Ｆｉｌｅ  Ｔｒａｎｓｆｅｒ  Ｐｒｏｔｏｃｏｌ）またはＳＭＢ（Ｓｅｒｖｅｒ  Ｍｅｓｓａｇｅ  Ｂｌｏｃｋ）の通信プロトコルで受信する静止画像を含む。
【００５０】
音声受付部５９は、マイクロフォン１７１に入力される音声を受け付け、受け付けた音声を動画像生成部６１に出力する。
【００５１】
動画像生成部６１は、静止画像取得部５７より入力される静止画像を所定時間表示するとともに、音声受付部５９より入力される音声を含む第２の動画像を生成する。動画像生成部６１は、静止画像取得部５７より複数の静止画像が入力される場合、複数の静止画像を順次表示する、いわゆるスライドショー形式の第２の動画像を生成する。動画像生成部６１は、生成された第２の動画像を、合成部６３に出力する。
【００５２】
合成部６３は、挿入位置決定部５５から挿入位置が入力されると再生部５３により再生されている第１の動画像と、動画像生成部６１から入力される第２の動画像とを合成する。具体的には、再生部５３により再生されている第１の動画像に、それの挿入位置に動画像生成部６１から入力される第２の動画像を挿入した第３の動画像を生成する。合成部６３は、生成された第３の動画像をＨＤＤ１１６に記憶する。第３の動画像は、新たな動画像８３としてＨＤＤ１１６に記憶される。
【００５３】
図５は、動画記録処理の流れの一例を示すフローチャートである。動画記録処理は、ＭＦＰ１００が備えるＣＰＵ１１１が動画記録再生プログラムを実行することにより、ＣＰＵにより実行される処理である。図５を参照して、ＣＰＵ１１１は、再生指示を受け付けたか否かを判断する（ステップＳ０１）。ユーザが操作部１６０Ｂに入力する再生指示を受け付ける。再生指示を受け付けるまで待機状態となり（ステップＳ０１）、再生指示を受け付けたならば処理をステップＳ０２に進める。すなわち、動画記録処理は、動画像９１が再生されることを条件に実行される処理である。ＨＤＤ１１６に記憶されている複数の動画像９１それぞれの動画像識別情報を表示する一覧画面を表示部１６０Ａに表示し、ユーザが表示された一覧画面から１つの動画像識別情報を選択する操作を操作部１６０Ｂに入力すれば、再生指示を受け付ける。再生指示は、ＨＤＤ１１６に記憶された複数の動画像９１のうちユーザにより選択された動画像９１の動画像識別情報を含む。ここでは、ユーザにより選択された動画像９１を第１の動画像という。なお、ユーザが選択する第１の動画像は、ＨＤＤ１１６に記憶された動画像９１に限らず、ファイルサーバ２５０に記憶された動画像であってもよい。
【００５４】
ステップＳ０２においては、ステップＳ０１により受け付けられた再生指示に含まれる動画像識別情報で特定される第１の動画像をＨＤＤ１１６に記憶されている動画像９１のうちから読出し、再生を開始する。そして、第１の動画像の再生が終了したか否かを判断する。再生が終了したならば処理をステップＳ１１に進めるが、そうでなければ処理をステップＳ０４に進める。
【００５５】
ステップＳ０４においては、挿入指示を受け付けたか否かを判断する。挿入指示を受け付けたならば処理をステップＳ０５に進めるが、そうでなければ処理をステップＳ０３に戻す。ステップＳ０５においては、第１の動画像を再生するのを一時停止する。そして、静止画像の指示を受け付けるまで待機状態となり（ステップＳ０６でＮＯ）、静止画像の指示を受け付けると処理をステップＳ０７に進める。
【００５６】
ステップＳ０７においては、静止画像を取得する。ユーザが操作部１６０Ｂに原稿画像を読み取る原稿読取指示を入力する場合、原稿読取部１３０に原稿画像を読み取らせ、原稿読取部１３０が原稿画像を読み取って出力する静止画像を取得する。また、ファイルサーバ２５０またはＨＤＤ１１６に記憶されている静止画像のファイル名を表示し、ユーザが操作部１６０Ｂに表示されたファイル名を選択する指示を入力する場合、選択されたファイル名で特定される静止画像をＨＤＤ１１６から読み出すことにより、またはファイルサーバ２５０から受信することにより、取得する。
【００５７】
ステップＳ０８においては、ステップＳ０７において取得された静止画像を所定時間表示するとともに、マイクロフォン１７１に入力される音声を含む第２の動画像を生成する。ステップＳ０７において複数の静止画像が入力される場合、複数の静止画像を順次表示する、いわゆるスライドショー形式の第２の動画像を生成する。
【００５８】
ステップＳ０９においては、ＨＤＤ１１６に記憶されている第１の動画像と、ステップＳ０８において生成された第２の動画像とを合成し、第３の動画像を生成する。具体的には、第１の動画像の一時停止している位置（挿入位置）に、第２の動画像を挿入した第３の動画像を生成する。なお、ステップＳ０４において複数回の挿入位置が指示され、ステップＳ０５〜ステップＳ１０の処理が複数回実行される場合、２回目以降に実行されるステップＳ０９は、直前に生成された第３の動画像の第１の動画像が一時停止している位置（挿入位置）に対応する位置に、第２の動画像を挿入する。
【００５９】
そして、ステップＳ０５において、一時停止を解除し、再生を一時停止した第１の動画像の再生を再開し、処理をステップＳ０３に戻す。ステップＳ１１においては、ステップＳ０９において生成された第３の動画像をＨＤＤ１１６に記憶し、処理を終了する。
【００６０】
このため、第３の動画像を再生すれば、第１の動画像の挿入位置に第２の動画像を挿入した動画像が再生される。
【００６１】
＜変形例＞
上述した実施の形態におけるＭＦＰ１００は、第１の動画像と第２の動画像とを合成して第３の動画像を生成するようにした。変形例におけるＭＦＰ１００Ａは、第２の動画像を第１の動画像の挿入位置と関連付けて記憶するようにしたものである。以下、変形例におけるＭＦＰ１００Ａについて、上述したＭＦＰ１００と異なる点を説明する。
【００６２】
図６は、変形例におけるＭＦＰが備えるＣＰＵが有する機能の一例をＨＤＤに記憶するデータとともに示す機能ブロック図である。図６を参照して、図４に示した機能ブロック図と異なる点は、再生部５３Ａが変更された点、合成部６３に代えて関連付部７１を有する点である。その他の機能は同じなので、ここでは説明を繰り返さない。
【００６３】
図６を参照して、関連付部７１は、挿入位置決定部５５から挿入位置が入力されると、動画像生成部６１から入力される第２の動画像を、再生部５３により再生されている第１の動画像の挿入位置に関連付けてＨＤＤ１１６に記憶する。これにより、第２の動画像が動画像９１としてＨＤＤ１１６に記憶されるとともに、第２の動画像が第１の動画像の挿入位置に関連付けられる。第２の動画像の第１の動画像の挿入位置への関連付けは、第１の動画像のヘッダ部分に、挿入位置と第２の動画像を識別するための動画像識別情報とを追加するようにしてもよいし、第１の動画像の動画像識別情報、挿入位置、第２の動画像の動画像識別情報とを含む関連付データを生成し、ＨＤＤ１１６に記憶しておくようにしてもよい。ここでは、第１の動画像のヘッダ部分に、挿入位置と第２の動画像の動画像識別情報とを追加する場合を例に説明する。この場合、挿入位置は、第１の動画像の再生時間である。
【００６４】
再生部５３Ａは、関連付動画再生部８１と、一時停止部８３と、一時停止解除部８５と、印表示部８７と、を含む。再生部５３Ａは、指示受付部５１から再生指示が入力されると、再生指示に含まれる動画像識別情報で特定される動画像９１をＨＤＤ１１６から読出し、再生する。再生部５３Ａは、動画像９１が圧縮されたデータの場合、圧縮されたデータを復号する。また、再生部５３Ａは、再生した動画像を表示部１６０Ａに表示する。ここでは、再生部５３Ａが再生指示に従って再生する動画像９１を第１の動画像という。
【００６５】
印表示部８７は、再生中の第１の動画像に第２の動画像が関連付けられている場合、第１の動画像の挿入位置より所定時間前が再生されると、所定の印を表示する。第１の動画像に第２の動画像が関連付けられているか否かは、第１の動画像のヘッダ部分に挿入位置と第２の動画像の動画像識別情報が追加されているか否かで判断する。所定の印は、第２の動画像の存在をユーザに知らせるためのものであり、図形であってもよいし、文字であってもよい。印表示部８７は、ユーザが操作部１６０Ｂに入力する表示指示を受け付ける。印表示部８７は、所定の印を表示してから第１の動画像の挿入位置が再生されるまでに、表示指示を受け付けたならば、一時停止部８３に一時停止指示を出力するが、そうでなければ一時停止部８３になにも出力しない。
【００６６】
一時停止部８３は、印表示部８７から一時停止指示が入力される場合、換言すれば、所定の印を表示してから第１の動画像の挿入位置が再生されるまでに、ユーザにより表示指示が入力された場合、第１の動画像の挿入位置が再生されると、第１の動画像の再生を一時手停止する。一時停止部８３は、第１の動画像の再生を一時停止すると、一時停止したことを示す信号を関連付動画再生部８１に出力する。
【００６７】
関連付動画再生部８１は、一時停止部８３から一時停止したことを示す信号が入力されると、ＨＤＤ１１６から第２の動画像を読出し、再生する。そして、第２の動画像の再生が終了すると、再生が終了したことを示す信号を、一時停止解除部８５に出力する。
【００６８】
一時停止解除部８５は、関連付動画再生部８１から再生が終了したことを示す信号が入力されると、一時停止を解除するために、一時停止部８３により一時停止されている第１の動画像の再生を再開する。
【００６９】
図７は、第１の動画像と第２の動画像の再生の切換を説明するための図である。図７（Ａ）は、第１の動画像４００が表示されている状態を示す。図７（Ｂ）は、第１の動画像４００に加えて、印４０１が表示されている状態を示す。図７（Ｃ）は、第２の動画像４０３が表示されている状態を示す。図７（Ａ）に示す第１の動画像４００が表示されている状態において、挿入位置より所定時間前になると、図７（Ｂ）に示す状態の画面が表示される。そして、ユーザが第１の動画像の挿入位置が再生されるまでに印４０１を指示する操作を入力すれば、図７（Ｃ）に示す第２の動画像が表示される。
【００７０】
図８は、変形例における動画記録処理の流れの一例を示すフローチャートである。動画記録処理は、変形例におけるＭＦＰ１００Ａが備えるＣＰＵ１１１Ａが、動画記録再生プログラムを実行することにより、ＣＰＵ１１１Ａにより実行される処理である。図５に示した動画記録処理と異なる点は、ステップＳ０９に代えて、ステップＳ２１およびステップＳ２２が実行される点、ステップＳ１１が削除された点である。その他の処理は、図５に示したのと同じなのでここでは説明を繰り返さない。
【００７１】
ステップＳ０８において第２の動画像が生成されると、ステップＳ２１において、第２の動画像をＨＤＤ１１６に記憶する。次のステップＳ２２においては、ＨＤＤ１１６に記憶されている第１の動画像の挿入位置に第２の動画像を関連付け、処理をステップＳ１０に進める。具体的には、ＨＤＤ１１６に記憶されている第１の動画像のヘッダに、挿入位置（再生時間）と、第２の動画像の動画像識別情報を追加する。
【００７２】
図９は、動画再生処理の流れの一例を示すフローチャートである。動画再生処理は、変形例におけるＭＦＰ１００Ａが備えるＣＰＵ１１１Ａが、動画記録再生プログラムを実行することにより、ＣＰＵ１１１Ａにより実行される処理である。図９を参照して、ＣＰＵ１１１Ａは、再生指示を受け付けたか否かを判断する（ステップＳ３１）。ユーザが操作部１６０Ｂに入力する再生指示を受け付ける。再生指示を受け付けるまで待機状態となり（ステップＳ３１）、再生指示を受け付けたならば処理をステップＳ３２に進める。すなわち、動画記録処理は、動画像９１が再生されることを条件に実行される処理である。ここでは、ユーザにより選択された動画像９１を第１の動画像という。なお、ユーザが選択する第１の動画像は、ＨＤＤ１１６に記憶された動画像９１に限らず、ファイルサーバ２５０に記憶された動画像であってもよい。
【００７３】
ステップＳ３２においては、第１の動画像のヘッダ部分から挿入位置と、第２の動画像の動画像識別情報を取得し、第１の動画像の挿入位置と、第２の動画像とを特定する。そして、ステップＳ０１により受け付けられた再生指示に含まれる動画像識別情報で特定される第１の動画像をＨＤＤ１１６に記憶されている動画像９１のうちから読出し、再生を開始する。そして、第１の動画像の再生が終了したか否かを判断する（ステップＳ３４）。再生が終了したならば処理を終了するが、そうでなければ処理をステップＳ３５に進める。
【００７４】
ステップＳ３５においては、第１の動画像の再生時間が、挿入位置より所定時間前か否かを判断する。挿入位置より所定時間前ならば処理をステップＳ３６に進めるが、そうでなければ処理をステップＳ３４に戻す。ステップＳ３６においては、第２の動画像の存在をユーザに知らせるために、印を表示する。そして、第２の動画像を再生する指示である表示指示を受け付けたか否かを判断する（ステップＳ３７）。ユーザが操作部１６０Ｂに入力する表示指示を受け付ける。表示指示を受け付けたならば処理をステップＳ３８に進め、そうでなければ処理をステップＳ４３に進める。ステップＳ４３においては、第１の動画像の再生時間が挿入位置となったか否かを判断する。第１の動画像の再生時間が挿入位置ならば処理をステップＳ４４に進め、そうでなければ処理をステップＳ３６に戻す。ステップＳ４４においては、印の表示を終了し、処理をステップＳ３４に戻す。すなわち、印を表示してから第１の動画像の挿入位置が再生されるまでに、表示指示を受け付けなければ、第２の動画像の再生をすることなく、第１の動画像の再生を継続する。
【００７５】
一方、ステップＳ３８においては、第１の動画像の再生時間が挿入位置になったか否かを判断する。第１の動画像の再生時間が挿入位置になるまで、待機状態となり（ステップＳ３８でＮＯ）、第１の動画像の再生を継続するが、第１の動画像の再生時間が挿入位置になると、処理をステップＳ３９に進める。
【００７６】
ステップＳ３９においては、第１の動画像の再生を一時停止する。そして、ステップＳ３２において特定された第２の動画像をＨＤＤ１１６から読み出し、再生する（ステップＳ４０）。次のステップＳ４１においては、第２の動画像の再生が終了するまで待機状態となり（ステップＳ４１でＮＯ）、第２の動画像の再生を継続するが、第２の動画像の再生が終了すると、処理をステップＳ４２に進める。
【００７７】
ステップＳ４２においては、一時停止を解除し、再生を一時停止した第１の動画像の再生を再開し、処理をステップＳ３４に戻す。
以上説明したように本実施の形態における動画像記録再生装置としてのＭＦＰ１００は、第１の動画像を再生中に挿入指示が受け付けられると、その時点で再生されている第１の動画像の再生位置が挿入位置に決定し、挿入位置に静止画像を表示する第２の動画像を挿入した第３の動画像を生成し、記憶する。このため、動画像中の任意のいちを挿入位置に指定し、静止画像を指示する簡単な操作で、動画像に静止画像を表示する動画像を挿入することができる。
【００７８】
また、変形例におけるＭＦＰ１００は、第１の動画像を再生中に挿入指示が受け付けられると、その時点で再生されている第１の動画像の再生位置が挿入位置に決定し、静止画像を表示する第２の動画像を、第１の動画像の挿入位置と関連付けて記憶する。このため、第２の動画像が関連付けられた第１の動画像が再生されると、挿入位置で第２の動画像を再生することがきる。
【００７９】
また、挿入位置で第１の動画像の再生を一時停止するので、第２の動画像の再生が終了後に、第１の動画像の残りを再生することができる。
【００８０】
さらに、挿入位置の所定時間前から挿入位置までの間に、表示指示の操作が受け付けられることを条件に、第１の動画像の再生が一時停止されるので、ユーザが第２の動画を再生するか否かを選択することができる。
【００８１】
なお、上述した実施の形態においては、動画記録再生装置としてのＭＦＰ１００を例に説明したが、図５および図８または図９に示した動画記録再生処理を実行するための動画記録再生方法およびその動画記録再生方法をコンピュータに実行させるための動画記録再生プログラムとして発明を捉えることができるのは、言うまでもない。
【００８２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００８３】
【図１】本発明の実施の形態の１つにおける動画記録再生システムの全体概要を示す図である。
【図２】ＭＦＰの外観を示す斜視図である。
【図３】ＭＦＰのハードウェア構成の一例を示すブロック図である。
【図４】ＭＦＰが備えるＣＰＵが有する機能の一例をＨＤＤに記憶するデータとともに示す機能ブロック図である。
【図５】動画記録処理の流れの一例を示すフローチャートである。
【図６】変形例におけるＭＦＰが備えるＣＰＵが有する機能の一例をＨＤＤに記憶するデータとともに示す機能ブロック図である。
【図７】第１の動画像と第２の動画像の再生の切換を説明するための図である。
【図８】変形例における動画記録処理の流れの一例を示すフローチャートである。
【図９】動画再生処理の流れの一例を示すフローチャートである。
【符号の説明】
【００８４】
１  動画記録再生システム、２  ネットワーク、５１  指示受付部、５３，５３Ａ  再生部、５５  挿入位置決定部、５７  静止画像取得部、５９  音声受付部、６１  動画像生成部、６３  合成部、７１  関連付部、８１  関連付動画再生部、８１  関連付動画再生部、８３  動画像、８３  一時停止部、８５  一時停止解除部、８７  印表示部、９１  動画像、１００  ＭＦＰ、１１０  メイン回路、１１１  ＣＰＵ、１１２  通信Ｉ／Ｆ部、１１６  ＨＤＤ、１１８  カードＩ／Ｆ、１１８Ａ  フラッシュメモリ、１３０  原稿読取部、１４０  画像形成部、１６０  操作パネル、１６０Ａ  表示部、１６０Ｂ  操作部、１７１  マイクロフォン、１７３  スピーカ、２００，２００Ａ  ＰＣ、２５０  ファイルサーバ。
【図１】
2010074298.tif 000003
【図２】
2010074298.tif 000004
【図３】
2010074298.tif 000005
【図４】
2010074298.tif 000006
【図５】
2010074298.tif 000007
【図６】
2010074298.tif 000008
【図７】
2010074298.tif 000009
【図８】
2010074298.tif 000010
【図９】
2010074298.tif 000011
【手続補正書】
【提出日】平成21年11月9日(2009.11.9)
【手続補正１】
【補正対象書類名】特許請求の範囲
【補正対象項目名】全文
【補正方法】変更
【補正の内容】
【特許請求の範囲】
【請求項１】
動画像を再生する再生手段と、
前記再生手段が第１の動画像を再生中に所定の指示が受け付けられると、その時点で再生されている前記第１の動画像の再生位置を挿入位置に決定する挿入位置決定手段と、
静止画像を取得する静止画像取得手段と、
前記取得された静止画像を表示する第２の動画像を生成する動画像生成手段と、
前記第２の動画像を、前記第１の動画像の前記挿入位置と関連付けて記憶する記憶手段と、を備え、
前記再生手段は、前記第２の動画像が関連付けられた前記挿入位置から所定時間前から所定の印を表示する印表示手段と、
前記所定の印の表示後に所定の操作が受け付けられることを条件に、前記第２の動画像が関連付けられた前記挿入位置で前記第１の動画像の再生を一時停止する一時停止手段と、
前記第１の動画像が一時停止されている間に前記挿入位置に関連付けられた前記第２の動画を再生する関連付動画再生手段と、
前記第２の動画像の再生が終了後に、一時停止していた前記第１の動画像の再生を再開する一時停止解除手段と、を含む動画記録再生装置。
【請求項２】
音声の入力を受け付ける音声受付手段をさらに含み、
前記動画像生成手段は、前記音声受付手段により受け付けられる音声を含む動画像を生成し、
前記再生手段は、前記動画像が音声を含む場合、該音声を再生する、請求項１に記載の動画記録再生装置。
【請求項３】
前記静止画像取得手段は、原稿を読み取って静止画像を出力する原稿読取手段を含む、請求項１または２に記載の動画像記録再生装置。
【請求項４】
静止画像を記憶する記憶手段をさらに備え、
前記静止画像取得手段は、前記記憶手段に記憶された静止画像の指定を受け付ける静止画像指定受付手段と、
前記受け付けられた指定で特定される静止画像を前記記憶手段から読み出す読出手段とをさらに含む、請求項１〜３のいずれかに記載の動画像記録再生装置。
【請求項５】
動画像を再生するステップと、
前記再生するステップにおいて第１の動画像を再生中に所定の指示が受け付けられると、その時点で再生されている前記第１の動画像の再生位置を挿入位置に決定するステップと、
静止画像を取得するステップと、
前記取得された静止画像を表示する第２の動画像を生成するステップと、
前記第２の動画像を、前記第１の動画像の前記挿入位置と関連付けて記憶するステップと、を含み、
前記再生するステップは、前記第２の動画像が関連付けられた前記挿入位置から所定時間前から所定の印を表示するステップと、
前記所定の印の表示後に所定の操作が受け付けられることを条件に、前記第２の動画像が関連付けられた前記挿入位置で前記第１の動画像の再生を一時停止するステップと、
前記第１の動画像が一時停止されている間に前記挿入位置に関連付けられた前記第２の動画を再生するステップと、
前記第２の動画像の再生が終了後に、一時停止していた前記第１の動画像の再生を再開するステップと、を含む動画記録再生方法。
【請求項６】
音声の入力を受け付けるステップをさらに含み、
前記第２の動画像を生成するステップは、前記音声を受け付けるステップにおいて受け付けられる音声を含む動画像を生成するステップを含み、
前記再生するステップは、前記動画像が音声を含む場合、該音声を再生するステップを含む、請求項５に記載の動画記録再生方法。
【請求項７】
前記静止画像を取得するステップは、原稿を読み取って静止画像を出力するステップを含む、請求項５または６に記載の動画記録再生方法。
【請求項８】
静止画像を記憶するステップをさらに含み、
前記静止画像を取得するステップは、前記記憶された静止画像の指定を受け付けるステップと、
前記受け付けられた指定で特定される静止画像を読み出すステップと、をさらに含む、請求項５〜７のいずれかに記載の動画記録再生方法。
【請求項９】
動画像を再生するステップと、
前記再生するステップにおいて第１の動画像を再生中に所定の指示が受け付けられると、その時点で再生されている前記第１の動画像の再生位置を挿入位置に決定するステップと、
静止画像を取得するステップと、
前記取得された静止画像を表示する第２の動画像を生成するステップと、
前記第２の動画像を、前記第１の動画像の前記挿入位置と関連付けて記憶するステップと、をコンピュータに実行させ、
前記再生するステップは、前記第２の動画像が関連付けられた前記挿入位置から所定時間前から所定の印を表示するステップと、
前記所定の印の表示後に所定の操作が受け付けられることを条件に、前記第２の動画像が関連付けられた前記挿入位置で前記第１の動画像の再生を一時停止するステップと、
前記第１の動画像が一時停止されている間に前記挿入位置に関連付けられた前記第２の動画を再生するステップと、
前記第２の動画像の再生が終了後に、一時停止していた前記第１の動画像の再生を再開するステップと、を含む動画記録再生プログラム。
【手続補正２】
【補正対象書類名】明細書
【補正対象項目名】０００５
【補正方法】変更
【補正の内容】
【０００５】
この発明は上述した問題点を解決するためになされたもので、この発明の目的の１つは、動画像を容易に編集することができ、編集後の内容で再生するか否かをユーザが選択可能な動画像記録再生装置を提供することである。
【手続補正３】
【補正対象書類名】明細書
【補正対象項目名】０００６
【補正方法】変更
【補正の内容】
【０００６】
この発明の他の目的は、動画像を容易に編集することができ、編集後の内容で再生するか否かをユーザが選択可能な動画像記録再生方法を提供することである。
【手続補正４】
【補正対象書類名】明細書
【補正対象項目名】０００７
【補正方法】変更
【補正の内容】
【０００７】
この発明のさらに他の目的は、動画像を容易に編集することができ、編集後の内容で再生するか否かをユーザが選択可能な動画像記録再生プログラムを提供することである。
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】変更
【補正の内容】
【００１０】
上述した目的を達成するためにこの発明のある局面によれば、画像記録再生装置は、再生手段が第１の動画像を再生中に所定の指示が受け付けられると、その時点で再生されている第１の動画像の再生位置を挿入位置に決定する挿入位置決定手段と、静止画像を取得する静止画像取得手段と、取得された静止画像を表示する第２の動画像を生成する動画像生成手段と、第２の動画像を、第１の動画像の挿入位置と関連付けて記憶する記憶手段と、を備え、再生手段は、第２の動画像が関連付けられた挿入位置から所定時間前から所定の印を表示する印表示手段と、所定の印の表示後に所定の操作が受け付けられることを条件に、第２の動画像が関連付けられた挿入位置で第１の動画像の再生を一時停止する一時停止手段と、第１の動画像が一時停止されている間に挿入位置に関連付けられた第２の動画を再生する関連付動画再生手段と、第２の動画像の再生が終了後に、一時停止していた第１の動画像の再生を再開する一時停止解除手段と、を含む。
【手続補正８】
【補正対象書類名】明細書
【補正対象項目名】００１１
【補正方法】変更
【補正の内容】
【００１１】
この局面に従えば、第１の動画像を再生中に所定の指示が受け付けられると、その時点で再生されている第１の動画像の再生位置が挿入位置に決定され、静止画像を表示する第２の動画像が、第１の動画像の挿入位置と関連付けて記憶される。さらに、第２の動画像が関連付けられた第１の動画像が再生されると、挿入位置から所定時間前から所定の印が表示され、所定の印の表示後に所定の操作が受け付けられることを条件に、第１の動画像の再生が挿入位置で一時停止され、第２の動画が再生される。このため、挿入位置で第２の動画像を再生するか否かをユーザが選択することがきる。また、挿入位置で第１の動画像の再生を一時停止するので、第２の動画像の再生が終了後に、第１の動画像の残りを再生することができる。その結果、動画像を容易に編集することができ、編集後の内容で再生するか否かをユーザが選択可能な動画像記録再生装置を提供することができる。
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】変更
【補正の内容】
【００１６】
好ましくは、音声の入力を受け付ける音声受付手段をさらに含み、動画像生成手段は、音声受付手段により受け付けられる音声を含む動画像を生成し、再生手段は、動画像が音声を含む場合、該音声を再生する。
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】削除
【補正の内容】
【手続補正１６】
【補正対象書類名】明細書
【補正対象項目名】００２３
【補正方法】変更
【補正の内容】
【００２３】
この発明のさらに他の局面によれば、動画記録再生方法は、動画像を再生するステップと、再生するステップにおいて第１の動画像を再生中に所定の指示が受け付けられると、その時点で再生されている第１の動画像の再生位置を挿入位置に決定するステップと、静止画像を取得するステップと、取得された静止画像を表示する第２の動画像を生成するステップと、第２の動画像を、第１の動画像の挿入位置と関連付けて記憶するステップと、を含み、再生するステップは、第２の動画像が関連付けられた挿入位置から所定時間前から所定の印を表示するステップと、所定の印の表示後に所定の操作が受け付けられることを条件に、第２の動画像が関連付けられた挿入位置で第１の動画像の再生を一時停止するステップと、第１の動画像が一時停止されている間に挿入位置に関連付けられた第２の動画を再生するステップと、第２の動画像の再生が終了後に、一時停止していた第１の動画像の再生を再開するステップと、を含む。
【手続補正１７】
【補正対象書類名】明細書
【補正対象項目名】００２４
【補正方法】変更
【補正の内容】
【００２４】
この局面に従えば、動画像を容易に編集することができ、編集後の内容で再生するか否かをユーザが選択可能な動画像記録再生方法を提供することができる。
【手続補正１８】
【補正対象書類名】明細書
【補正対象項目名】００２５
【補正方法】変更
【補正の内容】
【００２５】
好ましくは、音声の入力を受け付けるステップをさらに含み、第２の動画像を生成するステップは、音声を受け付けるステップにおいて受け付けられる音声を含む動画像を生成するステップを含み、再生するステップは、動画像が音声を含む場合、該音声を再生するステップを含む。
好ましくは、静止画像を取得するステップは、原稿を読み取って静止画像を出力するステップを含む。
好ましくは、静止画像を記憶するステップをさらに含み、静止画像を取得するステップは、記憶された静止画像の指定を受け付けるステップと、受け付けられた指定で特定される静止画像を読み出すステップと、をさらに含む。
【手続補正１９】
【補正対象書類名】明細書
【補正対象項目名】００２６
【補正方法】削除
【補正の内容】
【手続補正２０】
【補正対象書類名】明細書
【補正対象項目名】００２７
【補正方法】変更
【補正の内容】
【００２７】
この発明のさらに他の局面によれば、動画像記録再生プログラムは、動画像を再生するステップと、再生するステップにおいて第１の動画像を再生中に所定の指示が受け付けられると、その時点で再生されている第１の動画像の再生位置を挿入位置に決定するステップと、静止画像を取得するステップと、取得された静止画像を表示する第２の動画像を生成するステップと、第２の動画像を、第１の動画像の挿入位置と関連付けて記憶するステップと、をコンピュータに実行させ、再生するステップは、第２の動画像が関連付けられた挿入位置から所定時間前から所定の印を表示するステップと、所定の印の表示後に所定の操作が受け付けられることを条件に、第２の動画像が関連付けられた挿入位置で第１の動画像の再生を一時停止するステップと、第１の動画像が一時停止されている間に挿入位置に関連付けられた第２の動画を再生するステップと、第２の動画像の再生が終了後に、一時停止していた第１の動画像の再生を再開するステップと、を含む。
【手続補正２１】
【補正対象書類名】明細書
【補正対象項目名】００２８
【補正方法】変更
【補正の内容】
【００２８】
この局面に従えば、動画像を容易に編集することができ、編集後の内容で再生するか否かをユーザが選択可能な動画像記録再生プログラムを提供することができる。